(57)【要約】      （修正有）【課題】測定部での測定が可能な状態であるか否かの判定に時間がかかった場合でも、測定結果に影響を与えることを防止することができる水質分析計及び水質分析方法を提供する。【解決手段】測定部での測定が可能な状態と判定された後にＳ１０１、シリンジ内に試料水を採水しＳ１０３、その後にシリンジから燃焼部に試料水を注入することによりＳ１０４、測定部での測定を行う。これにより、測定部での測定が可能な状態であるか否かの判定に時間がかかった場合でも、シリンジ内に試料水を採水した状態のまま長時間待機することがないため、測定結果に影響を与えるのを防止することができる。【選択図】図３Ａ
2015190907.tif 000002
【特許請求の範囲】
【請求項１】
試料水を採水するシリンジと、
前記シリンジから注入される試料水に含まれる成分を燃焼させる燃焼部と、
前記燃焼部において燃焼させることにより酸化した成分を測定する測定部と、
前記シリンジを動作させることにより試料水を採水させる採水処理部と、
試料水の採水後に前記シリンジを動作させることにより、前記燃焼部に試料水を注入させる注入処理部と、
前記測定部での測定が可能な状態であるか否かを判定する状態判定処理部とを備え、
前記状態判定処理部により前記測定部での測定が可能な状態と判定された後に、前記採水処理部が前記シリンジを動作させることにより試料水を採水させることを特徴とする水質分析計。
【請求項２】
前記状態判定処理部により前記測定部での測定が可能な状態と判定された後で、かつ、前記採水処理部による処理の前に、試料水を用いて前記シリンジ内を洗浄する洗浄処理部をさらに備えたことを特徴とする請求項１に記載の水質分析計。
【請求項３】
ユーザによる操作に基づいて、第１測定モード又は第２測定モードを選択するモード選択処理部をさらに備え、
前記第１測定モードが選択された場合には、前記状態判定処理部により前記測定部での測定が可能な状態と判定された後に、前記採水処理部が前記シリンジを動作させることにより試料水を採水させ、
前記第２測定モードが選択された場合には、前記採水処理部による処理の後に前記状態判定処理部による処理が行われ、前記状態判定処理部により前記測定部での測定が可能な状態と判定された後に、前記注水処理部が前記シリンジを動作させることにより前記燃焼部に試料水を注入させることを特徴とする請求項１又は２に記載の水質分析計。
【請求項４】
シリンジ内に試料水を採水し、その試料水を燃焼部に注入することにより、試料水に含まれる成分を燃焼させて測定部で測定するための水質分析方法であって、
前記シリンジを動作させることにより試料水を採水させる採水ステップと、
試料水の採水後に前記シリンジを動作させることにより、前記燃焼部に試料水を注入させる注入ステップと、
前記測定部での測定が可能な状態であるか否かを判定する状態判定ステップとを含み、
前記状態判定ステップにより前記測定部での測定が可能な状態と判定された後に、前記採水ステップで前記シリンジを動作させることにより試料水を採水させることを特徴とする水質分析方法。
【発明の詳細な説明】
【技術分野】
【０００１】
本発明は、シリンジ内に試料水を採水し、その試料水を燃焼部に注入することにより、試料水に含まれる成分を燃焼させて測定部で測定するための水質分析計及び水質分析方法に関するものである。
【背景技術】
【０００２】
水質分析計の一例である全有機体炭素計では、試料水に含まれる炭素の濃度を測定することができる。具体的には、試料水に含まれる全炭素を燃焼させてＣＯ２に酸化させ、その濃度を測定することにより、ＴＣ濃度（全炭素濃度）を測定することができる。また、試料水に酸溶液を添加することにより、試料水に含まれる無機体炭素の量に応じたＣＯ２を発生させ、その濃度を測定することにより、ＩＣ濃度（無機体炭素濃度）を測定することができる。そして、ＴＣ濃度とＩＣ濃度とに基づいて、ＴＯＣ濃度（全有機体炭素濃度）を測定することができる。
【０００３】
この種の水質分析計には、例えば試料水を採水するシリンジと、当該シリンジから注入される試料水に含まれる成分を燃焼させる燃焼部とが備えられている（例えば、下記特許文献１参照）。試料水をシリンジから燃焼部に注入し、当該試料水に含まれる全炭素を燃焼させることにより生じたＣＯ２を測定部で検出することにより、ＴＣ濃度を測定することができる。
【０００４】
分析時には、シリンジ内に試料水を採水した後、測定部での測定が可能な状態（レディー状態）であるか否かを判定し、レディー状態であると判定された後にシリンジから燃焼部に試料水が注入される。このように、レディー状態であることを確認した上で燃焼部に試料水を注入し、測定部での測定を行うことによって、より安定した正確な測定値を得ることができる。
【先行技術文献】
【特許文献】
【０００５】
【特許文献１】特許第２９９８６０１号公報
【発明の概要】
【発明が解決しようとする課題】
【０００６】
レディー状態であるか否かの判定は、例えば燃焼部の温度や測定部における検出信号のベース値など、状況に応じて変動する各種パラメータを基準に行われる。そのため、レディー状態であると判定されるまでに要する時間は状況によって異なり、レディー状態となるまでに比較的長い時間がかかる場合もある。
【０００７】
しかしながら、従来のような構成では、レディー状態であることを確認した上で燃焼部への試料水の注入を開始させるため、装置が安定しない状況下においては、シリンジ内に試料水を採水した状態のままレディー状態となるまで長時間待機しなければならない場合があった。このような場合であっても、標準試料をはじめとする通常の試料水を測定する場合には、シリンジ内の試料水の濃度はほぼ均一に保たれるため、測定結果に与える影響は小さい。
【０００８】
一方、例えば沈降性が高い物質を含む試料水を測定する場合には、時間経過とともにシリンジ内で試料水中の物質が沈降することにより、シリンジ内の試料水の濃度が不均一になる場合がある。このような場合には、シリンジ内の試料水を燃焼部に部分的に注入したときに、その部分に応じて測定部で測定される濃度に差異が生じるため、測定結果に大きな影響を与えるおそれがある。
【０００９】
本発明は、上記実情に鑑みてなされたものであり、測定部での測定が可能な状態であるか否かの判定に時間がかかった場合でも、測定結果に影響を与えるのを防止することができる水質分析計及び水質分析方法を提供することを目的とする。
【課題を解決するための手段】
【００１０】
本発明に係る水質分析計は、シリンジと、燃焼部と、測定部と、採水処理部と、注入処理部と、状態判定処理部とを備える。前記シリンジは、試料水を採水する。前記燃焼部は、前記シリンジから注入される試料水に含まれる成分を燃焼させる。前記測定部は、前記燃焼部において燃焼させることにより酸化した成分を測定する。前記採水処理部は、前記シリンジを動作させることにより試料水を採水させる。前記注入処理部は、試料水の採水後に前記シリンジを動作させることにより、前記燃焼部に試料水を注入させる。前記状態判定処理部は、前記測定部での測定が可能な状態であるか否かを判定する。前記状態判定処理部により前記測定部での測定が可能な状態と判定された後に、前記採水処理部が前記シリンジを動作させることにより試料水を採水させる。
【００１１】
このような構成によれば、測定部での測定が可能な状態と判定された後に、シリンジ内に試料水が採水され、その後にシリンジから燃焼部に試料水が注入されることにより、測定部での測定が行われる。したがって、測定部での測定が可能な状態であるか否かの判定に時間がかかった場合でも、シリンジ内に試料水を採水した状態のまま長時間待機することがない。
【００１２】
これにより、例えば沈降性が高い物質を含む試料水を測定する場合であっても、シリンジ内で試料水中の物質が沈降し、シリンジ内の試料水の濃度が不均一になるのを防止することができる。そのため、測定部での測定が可能な状態であるか否かの判定に時間がかかった場合でも、測定結果に影響を与えるのを防止することができる。
【００１３】
前記水質分析計は、前記状態判定処理部により前記測定部での測定が可能な状態と判定された後で、かつ、前記採水処理部による処理の前に、試料水を用いて前記シリンジ内を洗浄する洗浄処理部をさらに備えていてもよい。
【００１４】
このような構成によれば、測定部での測定が可能な状態と判定された後に、試料水を用いてシリンジ内が洗浄され、その後にシリンジ内に採水した試料水がシリンジから燃焼部に注入されることにより、測定部での測定が行われる。したがって、測定部での測定が可能な状態であるか否かの判定に時間がかかった場合でも、シリンジ内が洗浄された後の状態のまま長時間待機することがない。
【００１５】
これにより、例えば洗浄後のシリンジ内が空気に晒されるような構成であっても、シリンジ内が長時間にわたって空気に晒されることがないため、洗浄後のシリンジ内が汚れるのを防止することができる。また、シリンジ内の洗浄後に、測定部での測定が可能な状態ではないと判定されて動作が停止することにより、洗浄に用いた試料水が流路内に残存するといったこともない。
【００１６】
前記水質分析計は、ユーザによる操作に基づいて、第１測定モード又は第２測定モードを選択するモード選択処理部をさらに備えていてもよい。前記第１測定モードが選択された場合には、前記状態判定処理部により前記測定部での測定が可能な状態と判定された後に、前記採水処理部が前記シリンジを動作させることにより試料水を採水させてもよい。また、前記第２測定モードが選択された場合には、前記採水処理部による処理の後に前記状態判定処理部による処理が行われ、前記状態判定処理部により前記測定部での測定が可能な状態と判定された後に、前記注水処理部が前記シリンジを動作させることにより前記燃焼部に試料水を注入させてもよい。
【００１７】
このような構成によれば、第１測定モード又は第２測定モードのいずれかをユーザが選択して実行させることができる。例えば沈降性が高い物質を含む試料水を測定する場合には、第１測定モードを選択することができる。これにより、測定部での測定が可能な状態であるか否かの判定に時間がかかった場合に、シリンジ内で試料水中の物質が沈降し、シリンジ内の試料水の濃度が不均一になるのを防止することができる。
【００１８】
一方、標準試料をはじめとする通常の試料水（沈降性が高い物質を含まない試料水）を測定する場合には、第２測定モードを選択することにより、測定部における測定の直前に、当該測定部での測定が可能な状態であるか否かを判定することができる。このように、測定部での測定が可能な状態であることを確認した直後に燃焼部に試料水を注入し、測定部での測定を行うことによって、より安定した正確な測定値を得ることができる。
【００１９】
本発明に係る水質分析方法は、シリンジ内に試料水を採水し、その試料水を燃焼部に注入することにより、試料水に含まれる成分を燃焼させて測定部で測定するための水質分析方法であって、採水ステップと、注入ステップと、状態判定ステップとを含む。前記採水ステップでは、前記シリンジを動作させることにより試料水を採水させる。前記注入ステップでは、試料水の採水後に前記シリンジを動作させることにより、前記燃焼部に試料水を注入させる。前記状態判定ステップでは、前記測定部での測定が可能な状態であるか否かを判定する。前記状態判定ステップにより前記測定部での測定が可能な状態と判定された後に、前記採水ステップで前記シリンジを動作させることにより試料水を採水させる。
【発明の効果】
【００２０】
本発明によれば、測定部での測定が可能な状態であるか否かの判定に時間がかかった場合でも、シリンジ内に試料水を採水した状態のまま長時間待機することがないため、測定結果に影響を与えるのを防止することができる。
【図面の簡単な説明】
【００２１】
【図１】本発明の一実施形態に係る水質分析計の構成例を示した概略図である。
【図２】制御部の構成例を示したブロック図である。
【図３Ａ】第１測定モードで測定を行う際の処理の流れを示したフローチャートであり、１回目の測定時における処理の流れを示している。
【図３Ｂ】第１測定モードで測定を行う際の処理の流れを示したフローチャートであり、２回目以降の測定時における処理の流れを示している。
【図４Ａ】第２測定モードで測定を行う際の処理の流れを示したフローチャートであり、１回目の測定時における処理の流れを示している。
【図４Ｂ】第２測定モードで測定を行う際の処理の流れを示したフローチャートであり、２回目以降の測定時における処理の流れを示している。
【発明を実施するための形態】
【００２２】
図１は、本発明の一実施形態に係る水質分析計の構成例を示した概略図である。本実施形態に係る水質分析計は、試料水に含まれる全有機体炭素濃度（ＴＯＣ濃度）を測定可能な全有機体炭素計であり、その構成の一部のみを図１に示している。
【００２３】
この水質分析計では、試料水に含まれる全炭素を燃焼させてＣＯ２に酸化させ、その濃度を測定することにより、ＴＣ濃度（全炭素濃度）を測定することができる。また、試料水に酸溶液を添加することにより、試料水に含まれる無機体炭素の量に応じたＣＯ２を発生させ、その濃度を測定することにより、ＩＣ濃度（無機体炭素濃度）を測定することができる。そして、ＴＣ濃度とＩＣ濃度とに基づいて、ＴＯＣ濃度を測定することができる。このとき、ＴＯＣ濃度は、ＴＯＣ濃度＝ＴＣ濃度−ＩＣ濃度の関係式を用いて算出することができる。
【００２４】
本実施形態に係る水質分析計には、例えば流路切替部１、シリンジ２、燃焼部３、測定部４、制御部５、操作部６、表示部７及び記憶部８などが備えられている。流路切替部１は、例えば複数のポート１１〜１５を備えたマルチポートバルブからなる。ポート１１は共通ポートであり、当該ポート１１に対して他のポート１２〜１５のいずれかを選択的に連通させることができる。流路切替部１の各ポート１１〜１５間の連通状態は、例えばモータＭ１の駆動により自動で切り替えることができる。なお、流路切替部１のポートの数は、任意に設定可能である。
【００２５】
シリンジ２には、例えば筒体２１及びプランジャ２２が備えられている。プランジャ２２は筒体２１内に挿入されており、筒体２１の内面とプランジャ２２とにより囲まれたシリンジ２の内部空間に、試料水を採水することができる。このとき、筒体２１内に挿入されているプランジャ２２を変位させることにより、シリンジ２への吸引動作及びシリンジ２からの吐出動作が行われる。プランジャ２２は、例えばモータＭ２の駆動により自動で行うことができる。
【００２６】
この例では、共通ポートであるポート１１が、シリンジ２に接続されている。ポート１２は、配管１２１を介して試料水供給部（図示せず）に接続されている。したがって、ポート１１及びポート１２を連通させた状態でプランジャ２２を変位させ、シリンジ２への吸引動作を行うことにより、シリンジ２内（筒体２１内）に試料水を採水することができる。このとき、プランジャ２２の変位量を制御することにより、シリンジ２への試料水の採水量を調整することができる。
【００２７】
ポート１３は、配管１３１を介して燃焼部３に接続されている。上記のようにしてシリンジ２内に試料水を採水した後、ポート１１及びポート１３を連通させ、プランジャ２２を変位させてシリンジ２からの吐出動作を行うことにより、燃焼部３に試料水を注入することができる。このとき、プランジャ２２の変位量を制御することにより、燃焼部３への試料水の注入量を調整することができる。
【００２８】
ポート１４は、配管１４１を介して洗浄液供給部（図示せず）に接続されている。したがって、ポート１１及びポート１４を連通させた状態でプランジャ２２を変位させ、シリンジ２への吸引動作を行うことにより、シリンジ２内に洗浄液を導入することができる。例えば水質分析計を用いた分析の開始時又は終了時などには、シリンジ２内に洗浄液を導入することにより、シリンジ２内を洗浄液で洗浄することができる。
【００２９】
ポート１５は、配管１５１を介してドレンに接続されている。シリンジ２内の残った試料水又は洗浄液は、配管１５１を介してドレンに排出される。すなわち、ポート１１及びポート１５を連通させた状態でプランジャ２２を変位させ、シリンジ２からの吐出動作を行うことにより、配管１５１を介してシリンジ２内の試料水又は洗浄液をドレンに排出することができる。
【００３０】
燃焼部３には、例えば燃焼管３１及び加熱炉３２が備えられている。加熱炉３２は、例えば電気炉により構成されており、燃焼管３１を設定された温度に加熱することができる。シリンジ２から燃焼部３に注入された試料水は、燃焼管３１内で加熱され、試料水に含まれる成分が燃焼することにより酸化される。燃焼部３で酸化された成分は、測定部４へと送られ、その成分の濃度が測定部４において測定される。
【００３１】
測定部４は、例えばＣＯ２を検出可能な赤外線ガス検出器により構成することができる。この場合、試料水をシリンジ２から燃焼部３に注入し、当該試料水に含まれる全炭素を燃焼させることにより生じたＣＯ２を測定部４で検出することにより、ＴＣ濃度を測定することができる。ただし、測定部４は、赤外線ガス検出器に限らず、他の各種検出器により構成することができる。
【００３２】
シリンジ２から配管１３１を介して燃焼部３側へと導かれる試料水は、その一部を分岐管１３２から排水することができるようになっている。これにより、シリンジ２内に採水された試料水を燃焼部３側へと導きながら、その試料水を部分的に燃焼部３に注入し、残りの試料水を分岐管１３２から排水することができる。
【００３３】
制御部５は、例えばＣＰＵ（Central Processing Unit）を含む構成であり、モータＭ１，Ｍ２及び加熱炉３２などの水質分析計の各部の動作を制御するとともに、測定部４からの検出信号に基づく処理などを行う。操作部６は、ユーザが入力操作を行うためのものであり、例えばキーボード及びマウスにより構成される。表示部７は、例えば液晶表示器により構成され、測定結果などを表示画面に表示することができる。記憶部８は、例えばハードディスク及びＲＡＭ（Random Access Memory）により構成され、測定に必要なデータや測定結果などの各種データが記憶される。
【００３４】
図２は、制御部５の構成例を示したブロック図である。制御部５は、ＣＰＵがプログラムを実行することにより、測定実行処理部５１、状態判定処理部５２、モード選択処理部５３及び表示処理部５４などとして機能する。
【００３５】
測定実行処理部５１は、測定に際して、モータＭ１，Ｍ２などの動作を制御することにより、シリンジ２に対する試料水又は洗浄液の吸引動作や吐出動作を実行する。測定実行処理部５１には、例えば洗浄処理部５１１、採水処理部５１２及び注水処理部５１３が含まれる。
【００３６】
洗浄処理部５１１は、洗浄液又は試料水を用いてシリンジ２内を洗浄する処理を行う。洗浄液を用いてシリンジ２内の洗浄を行う際には、モータＭ１の駆動によりポート１１及びポート１４を連通させた状態で、モータＭ２の駆動によりプランジャ２２を変位させ、シリンジ２内に洗浄液を導入する。そして、モータＭ１の駆動によりポート１１及びポート１５を連通させた後、モータＭ２の駆動によりプランジャ２２を変位させ、シリンジ２内の洗浄液をドレンに排出する。
【００３７】
一方、試料水を用いてシリンジ２内の洗浄（共洗い）を行う際には、モータＭ１の駆動によりポート１１及びポート１２を連通させた状態で、モータＭ２の駆動によりプランジャ２２を変位させ、シリンジ２内に試料水を導入する。そして、モータＭ１の駆動によりポート１１及びポート１５を連通させた後、モータＭ２の駆動によりプランジャ２２を変位させ、シリンジ２内の試料水をドレンに排出する。
【００３８】
採水処理部５１２は、シリンジ２を動作させることにより、燃焼部３に注入するための試料水をシリンジ２内に採水させる処理を行う。すなわち、モータＭ１の駆動によりポート１１及びポート１２を連通させた状態で、モータＭ２の駆動によりプランジャ２２を変位させ、シリンジ２内に試料水を採水する。このときのモータＭ２の駆動量は、設定されている試料水の採水量に応じて制御される。
【００３９】
注水処理部５１３は、採水処理部５１２による試料水の採水後に、シリンジ２を動作させることにより、燃焼部３に試料水を注入させる処理を行う。すなわち、モータＭ１の駆動によりポート１１及びポート１３を連通させた後、モータＭ２の駆動によりプランジャ２２を変位させ、燃焼部３に試料水を注入する。このときのモータＭ２の駆動量は、設定されている試料水の注入量に応じて制御される。
【００４０】
状態判定処理部５２は、測定部４での測定が可能な状態（レディー状態）であるか否かを判定する。この例では、測定部４における検出器の検出信号に基づいて、レディー状態であるか否かが判定される。例えば、検出信号のベース値が閾値よりも高い場合や、ノイズが検出される場合には、レディー状態でないと判定することができる。測定実行処理部５１は、状態判定処理部５２による判定結果に基づいて、シリンジ２による吸引動作や吐出動作を実行することができる。
【００４１】
レディー状態であると判定されるまでに要する時間は、測定部４における検出器の検出信号が安定するまでの時間に応じて変動する。そのため、レディー状態となるまでに比較的長い時間がかかる場合もある。また、例えば所定時間が経過してもレディー状態と判定されない場合には、故障が発生していると判断され、水質分析計の動作が停止される場合もある。
【００４２】
ただし、測定部４における検出信号に限らず、例えば燃焼部３（加熱炉３２）の温度や、その他の加熱部又は冷却部の温度などが所定範囲内でなければ、レディー状態でないと判定するような構成などであってもよい。このように、レディー状態であるか否かの判定は、水質分析計に備えられた各部の状態や周囲の状態など、状況に応じて変動する各種パラメータを基準に行うことができる。
【００４３】
モード選択処理部５３は、ユーザによる操作部６の操作に基づいて、測定モードを選択する処理を行う。本実施形態では、沈降性が高い物質を含む試料水（懸濁試料）を測定する第１測定モード、又は、標準試料をはじめとする通常の試料水を測定する第２測定モードのいずれかをユーザが選択して実行することができる。
【００４４】
表示処理部５４は、表示部７に対する表示を制御する。測定部４において測定されたＴＣ濃度、ＩＣ濃度及びＴＯＣ濃度などは、表示処理部５４の処理により、測定結果として表示部７に表示される。表示処理部５４は、測定部４における測定結果だけでなく、例えば測定モードを選択するための設定画面などのように、各種設定画面を表示部７に表示させることもできる。
【００４５】
図３Ａ及び図３Ｂは、第１測定モードで測定を行う際の処理の流れを示したフローチャートである。図３Ａは、１回目の測定時における処理の流れを示しており、図３Ｂは、２回目以降の測定時における処理の流れを示している。
【００４６】
第１測定モード（懸濁試料測定モード）が選択された場合には、まず、状態判定処理部５２によりレディー状態であるか否かの判定（レディーチェック）が行われる（ステップＳ１０１：状態判定ステップ）。そして、レディー状態であると判定された後に、洗浄処理部５１１により試料水を用いてシリンジ２内が洗浄される（ステップＳ１０２：洗浄ステップ）。本実施形態では、洗浄処理部５１１による処理が繰り返し行われることにより、シリンジ２内が複数回（例えば２回）洗浄されるようになっている。
【００４７】
その後、採水処理部５１２がシリンジ２を動作させることにより試料水が採水される（ステップＳ１０３：採水ステップ）。これにより、沈降性が高い物質を含む試料水がシリンジ２内に採水される。そして、注水処理部５１３がシリンジ２を動作させることにより、燃焼部３に試料水が注入され（ステップＳ１０４：注入ステップ）、試料水に含まれる成分が燃焼部３の燃焼管３１内で燃焼する。
【００４８】
燃焼部３内には、設定された注入量だけ試料水が注入され、シリンジ２内に残った試料はドレンに排出されることにより捨てられる（ステップＳ１０５）。燃焼部３において燃焼されることにより酸化した成分は、そのピークが測定部４の検出器により検出される。そして、検出されるピークが終了した後（ステップＳ１０６）、１回目の測定が終了する。
【００４９】
２回目以降の測定時においても同様に、まず、状態判定処理部５２によりレディー状態であるか否かの判定が行われる（ステップＳ１１１：状態判定ステップ）。そして、レディー状態であると判定された後に、洗浄処理部５１１により試料水を用いてシリンジ２内が洗浄される（ステップＳ１１２：洗浄ステップ）。本実施形態では、２回目以降の測定時においては、シリンジ２内が１回だけ洗浄されるようになっている。
【００５０】
その後、採水処理部５１２がシリンジ２を動作させることにより試料水が採水される（ステップＳ１１３：採水ステップ）。これにより、沈降性が高い物質を含む試料水がシリンジ２内に採水される。そして、注水処理部５１３がシリンジ２を動作させることにより、燃焼部３に試料水が注入され（ステップＳ１１４：注入ステップ）、試料水に含まれる成分が燃焼部３の燃焼管３１内で燃焼する。
【００５１】
１回目の測定時と同様に、燃焼部３内には、設定された注入量だけ試料水が注入され、シリンジ２内に残った試料はドレンに排出されることにより捨てられる（ステップＳ１１５）。燃焼部３において燃焼されることにより酸化した成分は、そのピークが測定部４の検出器により検出される。そして、検出されるピークが終了した後（ステップＳ１１６）、測定が終了する。２回目以降の測定は、このような図３Ｂの処理が繰り返されることにより実行される。
【００５２】
このように、本実施形態では、測定部４での測定が可能な状態と判定された後に（ステップＳ１０１，Ｓ１１１）、シリンジ２内に試料水が採水され（ステップＳ１０３，Ｓ１１３）、その後にシリンジ２から燃焼部３に試料水が注入されることにより（ステップＳ１０４，Ｓ１１４）、測定部４での測定が行われる。したがって、測定部４での測定が可能な状態であるか否かの判定に時間がかかった場合でも、シリンジ２内に試料水を採水した状態のまま長時間待機することがない。
【００５３】
これにより、沈降性が高い物質を含む試料水を測定する場合であっても、シリンジ２内で試料水中の物質が沈降し、シリンジ２内の試料水の濃度が不均一になるのを防止することができる。そのため、測定部４での測定が可能な状態であるか否かの判定に時間がかかった場合でも、測定結果に影響を与えるのを防止することができる。
【００５４】
特に、本実施形態では、測定部４での測定が可能な状態と判定された後に（ステップＳ１０１，Ｓ１１１）、試料水を用いてシリンジ２内が洗浄され（ステップＳ１０２，Ｓ１１２）、その後にシリンジ２内に採水した試料水がシリンジ２から燃焼部３に注入されることにより、測定部４での測定が行われる。したがって、測定部４での測定が可能な状態であるか否かの判定に時間がかかった場合でも、シリンジ２内が洗浄された後の状態のまま長時間待機することがない。
【００５５】
図１に示すようなシリンジ２では、洗浄後にプランジャ２２が筒体２１内に押し込まれた状態となるため、筒体２１の内面が空気に晒されることとなる。このような構成であっても、本実施形態では、測定部４での測定が可能な状態と判定された後に（ステップＳ１０１，Ｓ１１１）、試料水を用いてシリンジ２内が洗浄されるため（ステップＳ１０２，Ｓ１１２）、洗浄後のシリンジ２内が長時間にわたって空気に晒されることがない。
【００５６】
したがって、洗浄後のシリンジ２内（筒体２１内）が汚れるのを防止することができる。また、シリンジ２内の洗浄後に、測定部４での測定が可能な状態ではないと判定されて動作が停止することにより、洗浄に用いた試料水が流路内に残存するといったこともない。
【００５７】
図４Ａ及び図４Ｂは、第２測定モードで測定を行う際の処理の流れを示したフローチャートである。図４Ａは、１回目の測定時における処理の流れを示しており、図４Ｂは、２回目以降の測定時における処理の流れを示している。
【００５８】
第２測定モード（標準測定モード）が選択された場合には、まず、洗浄処理部５１１により試料水を用いてシリンジ２内が洗浄される（ステップＳ２０１：洗浄ステップ）。本実施形態では、洗浄処理部５１１による処理が繰り返し行われることにより、シリンジ２内が複数回（例えば２回）洗浄されるようになっている。
【００５９】
その後、採水処理部５１２がシリンジ２を動作させることにより試料水が採水される（ステップＳ２０２：採水ステップ）。これにより、標準試料をはじめとする通常の試料水（沈降性が高い物質を含まない試料水）がシリンジ２内に採水される。そして、シリンジ２内に試料水を採水した状態のまま、状態判定処理部５２によりレディー状態であるか否かの判定（レディーチェック）が行われる（ステップＳ２０３：状態判定ステップ）。
【００６０】
レディーチェックによりレディー状態であると判定された後、注水処理部５１３がシリンジ２を動作させることにより、燃焼部３に試料水が注入され（ステップＳ２０４：注入ステップ）、試料水に含まれる成分が燃焼部３の燃焼管３１内で燃焼する。燃焼部３内には、設定された注入量だけ試料水が注入され、シリンジ２内に残った試料はドレンに排出されることにより捨てられる（ステップＳ２０５）。
【００６１】
燃焼部３において燃焼されることにより酸化した成分は、そのピークが測定部４の検出器により検出される。このとき、本実施形態では、採水処理部５１２がシリンジ２を動作させることにより、次の測定のための試料水がシリンジ２内に採水される（ステップＳ２０６：先行採水ステップ）。そして、検出されるピークが終了した後（ステップＳ２０７）、１回目の測定が終了する。
【００６２】
２回目以降の測定時には、まず、状態判定処理部５２によりレディー状態であるか否かの判定が行われる（ステップＳ２１１：状態判定ステップ）。そして、レディー状態であると判定された後に、注水処理部５１３がシリンジ２を動作させることにより、燃焼部３に試料水が注入され（ステップＳ２１２：注入ステップ）、試料水に含まれる成分が燃焼部３の燃焼管３１内で燃焼する。
【００６３】
１回目の測定時と同様に、燃焼部３内には、設定された注入量だけ試料水が注入され、シリンジ２内に残った試料はドレンに排出されることにより捨てられる（ステップＳ２１３）。燃焼部３において燃焼されることにより酸化した成分は、そのピークが測定部４の検出器により検出される。そして、検出されるピークが終了した後（ステップＳ２１４）、測定が終了する。次の測定を行う場合には、ステップＳ２１３とステップ２１４との間に先行採水ステップを行った上で、図４Ｂの処理が繰り返される。
【００６４】
このように、本実施形態では、第１測定モード又は第２測定モードのいずれかをユーザが選択して実行させることができる。上記のように、沈降性が高い物質を含む試料水を測定する場合には、第１測定モードを選択することができる。これにより、測定部４での測定が可能な状態であるか否かの判定に時間がかかった場合に、シリンジ２内で試料水中の物質が沈降し、シリンジ２内の試料水の濃度が不均一になるのを防止することができる。
【００６５】
一方、標準試料をはじめとする通常の試料水（沈降性が高い物質を含まない試料水）を測定する場合には、第２測定モードを選択することにより、測定部４における測定の直前に、当該測定部４での測定が可能な状態であるか否かを判定することができる。このように、測定部４での測定が可能な状態であることを確認した直後に燃焼部３に試料水を注入し、測定部４での測定を行うことによって、より安定した正確な測定値を得ることができる。
【００６６】
以上の実施形態では、第１測定モード又は第２測定モードのいずれかをユーザが選択できるような構成について説明した。しかし、このような構成に限らず、第１測定モードのみを実行可能な構成であってもよいし、他の測定モードを実行可能な構成であってもよい。各測定モードにおいて、シリンジ２内の洗浄の回数など、各工程の具体的態様は任意に設定することができる。
【００６７】
また、以上の実施形態では、水質分析計の一例として全有機体炭素計について説明した。しかし、本発明は、全有機体炭素計に限らず、シリンジ、燃焼部及び測定部を備えた他の水質分析計にも適用可能である。
【符号の説明】
【００６８】
１  流路切替部
２  シリンジ
３  燃焼部
４  測定部
５  制御部
６  操作部
７  表示部
８  記憶部
１１〜１５  ポート
２１  筒体
２２  プランジャ
３１  燃焼管
３２  加熱炉
５１  測定実行処理部
５２  状態判定処理部
５３  モード選択処理部
５４  表示処理部
１２１  配管
１３１  配管
１３２  分岐管
１４１  配管
１５１  配管
５１１  洗浄処理部
５１２  採水処理部
５１３  注水処理部
Ｍ１，Ｍ２  モータ
【図１】
2015190907.tif 000003
【図２】
2015190907.tif 000004
【図３Ａ】
2015190907.tif 000005
【図３Ｂ】
2015190907.tif 000006
【図４Ａ】
2015190907.tif 000007
【図４Ｂ】
2015190907.tif 000008